(57)【要約】【課題】  撮影者が意図する反射体に向けたバウンス発光撮影をおこなうことができる撮像装置の姿勢を、撮影者が容易に認識できるようにすること。【解決手段】  本体部と、本体部に対する回動角度を変更して発光部から照射される光の照射方向を変更できる照明装置と、照明装置が取り付けられている、又は一体に設けられている撮像装置と、を含む撮像システムであって、撮像装置の姿勢を検出する姿勢検出手段と、発光部の回動角度を検出する発光角度検出手段と、検出した撮像装置の姿勢、および検出した発光部の回動角度に関する情報とに基づいて、撮像装置の姿勢変更前と発光部から照射させる光を反射させる反射体を同一にすることが可能な、撮像装置の変更後の姿勢を判定する第１の判定手段と、第１の判定手段で判定された撮像装置の変更後の姿勢に関する情報を報知する報知手段と、を有することを特徴とする構成とした。【選択図】  図５
2016109824.tif 000002
【特許請求の範囲】
【請求項１】
本体部と、前記本体部に対して回動可能な発光部を備え、前記本体部に対する前記発光部の回動角度を変更することで当該発光部から照射される光の照射方向を変更できる照明装置と、前記照明装置が取り付けられている、又は一体に設けられている撮像装置と、を含む撮像システムであって、
前記撮像装置の姿勢を検出する姿勢検出手段と、
前記発光部の回動角度を検出する発光角度検出手段と、
前記姿勢検出手段で検出した前記撮像装置の姿勢に関する情報と前記発光角度検出手段で検出した前記発光部の回動角度に関する情報とに基づいて、前記撮像装置の姿勢を変更する前と前記発光部から照射させる光を反射させる反射体を同一にすることが可能な、前記撮像装置の変更後の姿勢を判定する第１の判定手段と、
前記第１の判定手段によって判定された前記撮像装置の変更後の姿勢に関する情報を報知する報知手段と、を有することを特徴とする撮像システム。
【請求項２】
前記姿勢検出手段は、前記撮像装置の撮影光軸を軸とした当該撮像装置の回転角度に基づいて、前記撮像装置の姿勢を検出することを特徴とする請求項１に記載の撮像システム。
【請求項３】
前記発光角度検出手段は、前記本体部に対する前記発光部の上下方向の回動角度と、撮影者側から見た前記本体部に対する前記発光部の左右方向の回動角度を検出することを特徴する請求項１又は２に記載の撮像システム。
【請求項４】
前記第１の判定手段は、前記発光角度検出手段によって検出した前記発光部の回動角度のうち、前記本体部に対する前記発光部の左右方向の回動角度に応じて、前記撮像装置の変更後の姿勢を判定することを特徴とする請求項３に記載の撮像システム。
【請求項５】
前記第１の判定手段は、前記発光角度検出手段によって検出した前記本体部に対する前記発光部の左右方向の回動角度が、前記本体部に対して前記発光部が右方向を向く角度である場合に、前記撮像装置の変更後の姿勢を、変更前の前記撮像装置を右方向に回転した状態の前記撮像装置の姿勢であると判定し、前記発光角度検出手段によって検出した前記本体部に対する前記発光部の左右方向の回動角度が、前記本体部に対して前記発光部が左方向を向く角度である場合に、前記撮像装置の変更後の姿勢を、変更前の前記撮像装置を左方向に回転した状態の前記撮像装置の姿勢であると判定することを特徴とする請求項４に記載の撮像システム。
【請求項６】
前記報知手段は、前記第１の判定手段によって判定された前記撮像装置の変更後の姿勢に関する情報を表示手段に表示させることを特徴とする請求項１乃至５の何れか一項に記載の撮像システム。
【請求項７】
前記報知手段によって前記撮像装置の変更後の姿勢に関する情報が報知された後に、前記姿勢検出手段によって前記撮像装置の姿勢が変更されたことが検出された場合に、変更後の前記撮像装置の姿勢が前記第１の判定手段によって判定された前記撮像装置の変更後の姿勢であるか否かを判定する第２の判定手段を有し、
前記報知手段は、前記第２の判定手段によって、変更後の前記撮像装置の姿勢が前記第１の判定手段によって判定された前記撮像装置の変更後の姿勢であると判定された後に、前記表示手段に表示されている前記撮像装置の変更後の姿勢に関する情報を、姿勢を変更する前の前記撮像装置の姿勢に関する情報に変更することを特徴とする請求項６に記載の撮像システム。
【請求項８】
前記第２の判定手段によって、変更後の前記撮像装置の姿勢が前記第１の判定手段によって判定された前記撮像装置の変更後の姿勢ではないと判定された場合に、撮影者に対する警告を前記表示手段に表示することを特徴とする請求項６又は７に記載の撮像システム。
【請求項９】
前記撮像装置の姿勢に関する情報は、前記表示手段に表示される、前記撮像装置の姿勢を示すアイコンであることを特徴とする請求項６又は７に記載の撮像システム。
【請求項１０】
顔を検出する顔検出手段と、
前記顔検出手段で検出された顔の向きを判定する顔判定手段と、
前記顔検出手段によって顔が検出された場合に、前記角度検出手段で検出した前記発光部の回動角度に関する情報と、前記顔判定手段で判定した顔の向きに関する情報に基づいて、前記発光部から照射された光が反射体に反射して前記顔の正面部分を照明することができる、前記撮像装置の変更後の姿勢を判定する第３の判定手段と、
を有し、
前記報知手段は、前記第３の判定手段によって判定された前記撮像装置の変更後の姿勢に関する情報を報知することを特徴とする請求項１乃至９の何れか一項に記載の撮像システム。
【請求項１１】
前記報知手段は、前記第１の判定手段の判定結果と前記第３の判定手段の判定結果とに基づいて、前記撮像装置の姿勢を変更する前と前記発光部から照射させる光を反射させる反射体を略同一にすることができ、前記発光部から照射された光が反射体に反射して前記顔の正面部分を照明することができる、前記撮像装置の変更後の姿勢に関する情報を報知することを特徴とする請求項１０に記載の撮像システム。
【請求項１２】
前記本体部に対して前記発光部を自動的に移動させることで、前記発光部から照射される光の照射方向を変更できる撮像システムであって、
被写体までの第１の距離情報を取得する第１の取得手段と、
反射体までの第２の距離情報を取得する第２の取得手段と、
前記第１の距離情報と前記第２の距離情報とに基づいて前記発光部を自動的に移動させることで、前記発光部の光の照射方向を変更する変更手段と、
を有し、
前記第２の取得手段は、前記変更手段によって、前記撮像装置の姿勢が前記第１の判定手段によって判定された前記撮像装置の変更後の姿勢へと変更された場合は前記第２の距離情報を取得せず、前記撮像装置の姿勢が前記第１の判定手段によって判定された前記撮像装置の変更後の姿勢とは異なる姿勢へと変更された場合は前記第２の距離情報を取得することを特徴とする請求項１乃至１１の何れか一項に記載の撮像システム。
【請求項１３】
撮像装置に取り付けられている、又は一体に設けられている照明装置であって、
本体部と、
前記本体部に対する回動角度を変更することができる発光部と、
前記発光部の回動角度を検出する発光角度検出手段と、
前記撮像装置の姿勢に関する情報と前記発光角度検出手段で検出した前記発光部の回動角度に関する情報とに基づいて、前記撮像装置の姿勢を変更する前と前記発光部から照射させる光を反射させる反射体を同一にすることが可能な、前記撮像装置の変更後の姿勢を判定する第１の判定手段と、
前記第１の判定手段によって判定された前記撮像装置の変更後の姿勢に関する情報を報知する報知手段と、
を有し、
前記発光部は、前記本体部に対する回動角度を変更することで当該発光部から照射される光の照射方向を変更できることを特徴とする照明装置。
【請求項１４】
本体部と、前記本体部に対して回動可能な発光部を備え、前記本体部に対する前記発光部の回動角度を変更することで当該発光部から照射される光の照射方向を変更できる照明装置が取り付けられている、又は一体に設けられている撮像装置であって、
前記撮像装置の姿勢を検出する姿勢検出手段と、
前記姿勢検出手段で検出した前記撮像装置の姿勢に関する情報と前記発光部の回動角度に関する情報とに基づいて、前記撮像装置の姿勢を変更する前と前記発光部から照射させる光を反射させる反射体を同一にすることが可能な、前記撮像装置の変更後の姿勢を判定する第１の判定手段と、
前記第１の判定手段によって判定された前記撮像装置の変更後の姿勢に関する情報を報知する報知手段と、を有することを特徴とする撮像装置。
【請求項１５】
本体部と、前記本体部に対する回動角度を変更することができる発光部とを備え、撮像装置に取り付けられている、又は一体に設けられている照明装置の制御方法であって、
前記発光部は、前記本体部に対する回動角度を変更することで当該発光部から照射される光の照射方向を変更でき、
前記発光部の回動角度を検出する発光角度検出工程と、
前記撮像装置の姿勢に関する情報と前記発光角度検出工程で検出された前記発光部の回動角度に関する情報とに基づいて、前記撮像装置の姿勢を変更する前と前記発光部から照射させる光を反射させる反射体を同一にすることが可能な、前記撮像装置の変更後の姿勢を判定する第１の判定工程と、
前記第１の判定工程で判定された前記撮像装置の変更後の姿勢に関する情報を報知させる報知工程と、を有する照明装置の制御方法。
【請求項１６】
本体部と、前記本体部に対して回動可能な発光部を備え、前記本体部に対する前記発光部の回動角度を変更することで当該発光部から照射される光の照射方向を変更できる照明装置が取り付けられている、又は一体に設けられている撮像装置の制御方法であって、
前記撮像装置の姿勢を検出する姿勢検出工程と、
前記姿勢検出工程で検出された前記撮像装置の姿勢に関する情報と前記発光部の回動角度に関する情報とに基づいて、前記撮像装置の姿勢を変更する前と前記発光部から照射させる光を反射させる反射体を同一にすることが可能な、前記撮像装置の変更後の姿勢を判定する第１の判定工程と、
前記第１の判定工程で判定された前記撮像装置の変更後の姿勢に関する情報を報知させる報知工程と、を有することを特徴とする撮像装置の制御方法。
【発明の詳細な説明】
【技術分野】
【０００１】
本発明は、照明装置を発光させる発光撮影の制御に関するものである。
【背景技術】
【０００２】
従来、照明装置の光を天井等の反射体に向けて照射し、当該反射体からの拡散反射光を被写体に照射する発光撮影（以下、バウンス発光撮影と称す）が知られている。バウンス発光撮影によれば、照明装置の光を間接的に被写体に照射することができるため、柔らかい光で被写体を照明することができる。
【０００３】
特許文献１では、閃光源が照射する閃光のビームの角度を設定してバウンス撮影ができる電子閃光装置について開示されている。
【先行技術文献】
【特許文献】
【０００４】
【特許文献１】特開平９−１４６１５２号公報
【発明の概要】
【発明が解決しようとする課題】
【０００５】
しかしながら、特許文献１では、撮像装置の姿勢を変更した場合にバウンス撮影をおこなうことについては言及されていない。
【０００６】
ここで、撮像装置の姿勢を変更してバウンス発光撮影をおこなうと、変更後の撮像装置の姿勢によっては、姿勢変更前のバウンス発光撮影で用いた反射体に向けて光を照射することができない場合がある。この場合、撮影者が、撮像装置の姿勢を変更しつつ、姿勢変更後も姿勢変更前と同じ反射体に向けてバウンス発光撮影を行いたくても、撮影者が意図する反射体に向けてバウンス発光撮影をおこなうことができない。
【０００７】
本発明の目的は、撮影者が意図する反射体に向けたバウンス発光撮影をおこなうことができる撮像装置の姿勢を、撮影者が容易に認識できるようにすることである。
【課題を解決するための手段】
【０００８】
上記目的を達成するための本発明の撮像システムは、本体部と、前記本体部に対して回動可能な発光部を備え、前記本体部に対する前記発光部の回動角度を変更することで当該発光部から照射される光の照射方向を変更できる照明装置と、前記照明装置が取り付けられている、又は一体に設けられている撮像装置と、を含む撮像システムであって、前記撮像装置の姿勢を検出する姿勢検出手段と、前記発光部の回動角度を検出する発光角度検出手段と、前記姿勢検出手段で検出した前記撮像装置の姿勢に関する情報と前記発光角度検出手段で検出した前記発光部の回動角度に関する情報とに基づいて、前記撮像装置の姿勢を変更する前と前記発光部から照射させる光を反射させる反射体を同一にすることが可能な、前記撮像装置の変更後の姿勢を判定する第１の判定手段と、前記第１の判定手段によって判定された前記撮像装置の変更後の姿勢に関する情報を報知する報知手段と、を有することを特徴とする。
【発明の効果】
【０００９】
本発明によれば、撮影者が意図する反射体に向けたバウンス発光撮影をおこなうことができる撮像装置の姿勢を、撮影者が容易に認識できるようにすることができる。
【図面の簡単な説明】
【００１０】
【図１】本発明の第１実施形態に係る撮像システムの構成を示したブロック図である。
【図２】本発明の第１実施形態に係る発光部３５０の回動角度とカメラ姿勢との関係を説明する図である。
【図３】本発明の第１実施形態に係る発光部３５０の上下方向の回動量とエンコーダ３５２の出力信号との関係を例示的に説明した図である。
【図４】本発明の第１実施形態に係る照明装置３００の発光部３５０が上下方向に回動している状態を例示的に説明する図である。
【図５】本発明の第１実施形態に係るカメラ姿勢の変化に応じた発光部３５０の光の照射方向の変化を例示的に説明する図である。
【図６】本発明の第１実施形態に係る姿勢報知制御を示すフローチャートである。
【図７】本発明の第１実施形態に係る回転可能方向判定処理を示すフローチャートである。
【図８】本発明の第１実施形態に係る、カメラ姿勢と発光部３５０の回動角度との基づく、カメラ本体１００の回転可能な方向および変更可能なカメラ姿勢のとの関係を示す図である。
【図９】本発明の第１実施形態に係るカメラ本体１００の回転可能な方向に関する情報の報知例（表示例）である。
【図１０】本発明の第１実施形態に係るカメラ姿勢変更後の姿勢報知制御を示すフローチャートである。
【図１１】本発明の第１実施形態に係る撮像システムにおけるユーザに対する警告の表示例を説明する図である。
【図１２】本発明の第２実施形態に係る撮像システムにおける被写体の顔の向きに応じたバウンス発光撮影について例示的に説明した図である。
【図１３】本発明の第２実施形態に係る姿勢報知制御を示すフローチャートである。
【図１４】本発明の第２実施形態に係る回転可能方向判定処理を示すフローチャートである。
【発明を実施するための形態】
【００１１】
（第１実施形態）
以下に、本発明の好ましい実施の形態を、添付の図面に基づいて詳細に説明する。図１は、本発明の第１実施形態に係る撮像システムの構成を示したブロック図である。本実施形態の撮像システムは、撮像装置であるカメラ本体１００、カメラ本体１００に着脱可能なレンズユニット２００、カメラ本体１００に取り外し可能な照明装置３００を有している。
【００１２】
なお、カメラ本体１００は、後述するレンズユニット２００を取り付け可能な側を正面側とし、その反対側を背面側とする。また、カメラ本体１００は、後述する照明装置３００を取り付け可能な側を上側とし、その反対側を下側とする。
【００１３】
以下、カメラ本体１００内の構成について説明する。カメラマイコン（ＣＣＰＵ）１０１は、カメラ本体１００の各部を統括的に制御する制御手段である。カメラマイコン１０１は、例えば、ＣＰＵ、ＲＯＭ、ＲＡＭ、入出力制御回路（Ｉ／Ｏコントロール回路）、マルチプレクサ、タイマ回路、ＥＥＰＲＯＭ、Ａ／Ｄコンバータ、Ｄ／Ａコンバータ等を含むマイコン内蔵ワンチップＩＣ回路構成である。
【００１４】
撮像素子１０２は、赤外カットフィルタやローパスフィルタ等を含むＣＣＤやＣＭＯＳ等の撮像素子であり、入射光量に応じた信号を出力する。シャッター１０３は、非撮影時には撮像素子１０２を遮光し、撮影時には撮像素子１０２へ光束を導くように駆動する遮光部材である。
【００１５】
主ミラー（ハーフミラー）１０４は、非撮影時に後述するレンズ群２０２より入射する光の一部を反射してピント板１０５に結像させる光学部材である。ピント板１０５上の結像された被写体の光学像は、ペンタプリズム１１４を介して光学ファインダー１１６等に導かれる。撮影者は、光学ファインダー１１６を介して被写体の状態を確認することができる。
【００１６】
測光回路１０６は、撮影画面内で複数の測光領域に分割されたそれぞれの測光領域において、被写体の測光を行う測光センサ（ＡＥセンサ）を含む測光手段である。焦点検出回路１０７は、撮影画面内に複数の測距点を備えた焦点検出センサ（ＡＦセンサ）を含む焦点検出手段である。
【００１７】
ゲイン切換え回路１０８は、撮像素子１０２からの信号の増幅ゲインを切換える切替え手段である。ゲイン切換え回路１０８は、カメラマイコン１０１からの指示に応じて、撮影条件や後述する充電電圧条件、撮影者の入力等により増幅ゲインを設定する。
【００１８】
Ａ／Ｄコンバータ１０９は、増幅された撮像素子１０２からのアナログ信号をデジタル信号に変換する信号変換手段である。タイミングジェネレータ（ＴＧ）１１０は、撮像素子１０２からの信号とＡ／Ｄコンバータ１０９の変換タイミングを同期させるために用いられるタイミング発生手段である。信号処理回路１１１は、Ａ／Ｄコンバータ１０９でデジタル信号に変換された画像データに対して画像処理を行う画像処理手段である。
【００１９】
図１に図示する信号ラインＳＣは、カメラ本体１００とレンズユニット２００及び照明装置３００とのインタフェース用信号ラインである。例えば、信号ラインＳＣは、カメラマイコン１０１をホストとしてデータの交換やコマンドの伝達を相互に行うことができる。本実施形態では、当該信号ラインＳＣによって、カメラマイコン１０１から照明装置３００側に対する発光開始信号などの各種の信号が送信される。
【００２０】
カメラ入力部１１２は、電源スイッチ、撮影モード変更スイッチ、撮影動作を開始させるためのレリーズスイッチなどの各種操作部を含む操作手段である。液晶装置や発光素子などによって構成されている表示部１１３は、各種設定や撮影情報などを表示する表示手段である。なお、本実施形態では、カメラ本体１００の姿勢（以下、カメラ姿勢と称す）の変更時に、姿勢変更前後で同一のバウンス対象物（反射体）に向けてバウンス発光撮影が可能なカメラ姿勢に関するガイド（情報）を、表示部１１３に表示させることができる。この詳細については後述する。
【００２１】
ペンタプリズム１１４は、レンズ群２０２より入射し主ミラー１０４によって反射された被写体の光学像に関する光束を、測光回路１０６のＡＥセンサ及び光学ファインダー１１６に導く光学部材である。そして、光学ファインダー１１６は、ペンタプリズム１１４によって導かれ被写体の光学像を観察することができる。サブミラー１１５は、レンズ群２０２より入射し主ミラー１０４の中央の半透明部を透過した光束を焦点検出回路１０７のＡＦセンサへ導く。
【００２２】
姿勢検出部１１７は、カメラ本体１００の姿勢（カメラ姿勢）を検出する姿勢検出手段であって、３軸の加速度センサなどによって構成されている姿勢検出手段である。姿勢検出部１１７は、当該加速度センサからの出力に基づいて、カメラ姿勢を検出することができる。
【００２３】
なお、本実施形態では、カメラ本体１００にレンズユニット２００が取り付けられた状態の、レンズユニット２００の撮影光軸を軸とするカメラ本体１００の回転方向をロール方向とする。また、レンズユニット２００の撮影光軸と直交する軸のうち、レンズユニット２００が上下方向に回動できるカメラ本体１００の回転方向をピッチ方向する。さらに、レンズユニット２００の撮影光軸と直交する軸のうち、レンズユニット２００を左右方向に回動できるカメラ本体１００の回転方向をヨー方向とする。本実施形態では、これら３つの回転方向へのカメラ本体１００の回転角度を前述した加速度センサによって検出することで、カメラ姿勢を検出することができる。
【００２４】
以降の説明では、ピッチ方向とヨー方向へのカメラ本体１００の回転角度が略０度である場合を想定する。したがって、以降は特筆しない限り、カメラ本体１００が後述する正位置に位置する状態を基準とした、カメラ本体１００のロール方向への回転角度からカメラ姿勢を検出するものとする。
【００２５】
また、本実施形態では、カメラ本体１００の背面と側面が重力方向と平行になるカメラ姿勢を、カメラ本体１００の正位置とする。当該、正位置に対するカメラ本体１００のカメラ姿勢の分類について、図２を参照して説明する。図２は、本発明の第１実施形態に係る発光部３５０の回動角度とカメラ姿勢との関係を説明する図である。なお、カメラ姿勢が正位置である状態から、後述するレンズユニット２００の撮影光軸を中心に右回り（右方向）にカメラ姿勢を変更したときの回動角度をプラス、左回り（左方向）にカメラ姿勢を変更したときの回動角度をマイナスとする。
【００２６】
図２に示すように、本実施形態では、回転角度が−４５度より大きく４５度未満である場合のカメラ本体１００のカメラ姿勢を横位置とする。なお、当該横位置には、前述したカメラ本体１００の正位置を含む。
【００２７】
また、図２に示すように、回転角度が４５度以上１３５°未満である場合のカメラ本体１００のカメラ姿勢を縦位置（右方向）とし、回転角度が−１３５度以上−４５°未満である場合のカメラ本体１００のカメラ姿勢を縦位置（左方向）とする。さらに、図２に示すように、回転角度が−１３５度以下、および１３５度以上である場合のカメラ本体１００のカメラ姿勢を逆位置とする。
【００２８】
次に、レンズユニット２００内の構成と動作について説明する。レンズマイコン（ＬＰＵ）２０１は、レンズユニット２００の各部の動作を統括的に制御する制御手段である。レンズマイコン２０１は、例えばＣＰＵ、ＲＯＭ、ＲＡＭ、入出力制御回路（Ｉ／Ｏコントロール回路）、マルチプレクサ、タイマ回路、ＥＥＰＲＯＭ、Ａ／Ｄコンバータ、Ｄ／Ａコンバータ等を含むマイコン内蔵ワンチップＩＣ回路構成である。
【００２９】
レンズ群２０２は、複数枚のレンズで構成された撮影レンズ群である。レンズ駆動部２０３は、レンズマイコン２０１からの焦点調節、焦点距離の変更などの指示に応じてレンズ群２０２を移動させる駆動手段である。
【００３０】
エンコーダ２０４は、レンズ群２０２の位置あるいはレンズ群２０２の駆動量を検出する検出手段である。本実施形態では、エンコーダ２０４の検出結果を示す位置情報あるいは駆動情報をレンズマイコン２０１からカメラマイコン１０１に送信することにより、カメラマイコン１０１が、撮影時の被写体距離に関する情報を取得する。絞り２０５は、開口径を変更して撮像素子１０２に入射する光量を調節する光量調節部材であって、絞り制御回路２０６を介してレンズマイコン２０１によって制御される。
【００３１】
なお、本実施形態では、カメラ本体１００とレンズユニット２００とが別々に設けられている、所謂レンズ交換式のデジタルカメラについて説明するが、カメラ本体１００とレンズユニット２００とが一体的に設けられているような構成であってもよい。その場合、レンズユニット２００内の各部の動作をカメラマイコン１０１によって統括的に制御するような構成であってもよい。
【００３２】
次に、照明装置３００の構成について説明する。本体部３４０は、カメラ本体１００に取り付けるための取り付け部３７０を備えている。また、本体部３４０の外装部分（外観）には、ストロボ入力部３２０及びストロボ表示部３２１が設けられている。
【００３３】
発光部３５０は、本体部３４０に対して第１の軸と、第１の軸とは異なる第２の軸を中心に回動できる可動部であって、本体部３４０と連結されている。本実施形態では、発光部３５０を本体部３４０に対して回動させて、本体部３４０に対する発光部３５０乗回動角度を変更することで、照明装置３００の光（照射光）の照射方向を変更することができる。
【００３４】
以下の説明では、照明装置３００において、本体部３４０の取り付け部３７０が位置する側を下側とし、その反対側を上側とする。照明装置３００において、本体部３４０に対する発光部３５０の回動角度が０度である状態において、後述する照射面３１７が向く方向を正面側とし、その反対側を背面側とする。なお、照明装置３００の当該背面側には、後述するストロボ表示部３２１が設けられている。
【００３５】
また、前述した発光部３５０の回動軸のうちの第１の軸は、前記取り付け部３７０が重力方向側に位置している場合において、本体部３４０に対して発光部３５０を左右方向（水平方向）に回動するときの軸である。そして、前述した発光部３５０の回動軸のうちの第２の軸は、前記取り付け部３７０が重力方向側に位置している場合において、本体部３４０に対して発光部３５０を上下方向（垂直方向）に回動するときの軸である。
【００３６】
本実施形態では、本体部３４０に対して発光部３５０の第１の軸および第２の軸の回動が０度である状態を、発光部３５０の基準位置とする。すなわち、発光部３５０は、照射面３１７が本体部３４０の正面側を向く位置を基準位置とする。
【００３７】
なお、本実施形態の発光部３５０は、基準位置から上方向に９０度、および基準位置から左方向及び右方向にそれぞれ９０度まで回動可能であるが、発光部３５０の回動角度はこれに限定されるものではない。例えば、発光部３５０を基準位置から上方向に９０度以上回動できるような構成であってもよいし、発光部３５０を基準位置から左右方向に３６０度回動可能な構成であってもよい。
【００３８】
発光部３５０が基準位置にある状態であって、照明装置３００がカメラ本体１００に取り付けられている状態で、照射面３１７の中心軸とレンズユニット２００の撮影光軸とが略平行となる。以下、照明装置３００の内部構成について説明する。
【００３９】
電池３０１は、照明装置３００の各部に電力（ＶＢＡＴ）を供給するためのものであり、昇圧回路３０２は、電池３０１の電圧を数百Ｖに昇圧し不図示のメインコンデンサの充電を行う。
【００４０】
トリガー回路３０６は、放電管３０７の発光時に、後述するストロボマイコン３１０よりトリガー信号を受けることでトリガー電圧を出力する。放電管３０７は、トリガー回路３０６から印加される数ＫＶのトリガー電圧を受けて励起することで、メインコンデンサに充電されたエネルギーを用いて発光する。
【００４１】
発光制御回路３０８は、トリガー回路３０６からのトリガー電圧に応じた放電管３０７の発光の開始と、後述のＡＮＤゲート３１１の出力に応じた発光の停止を制御する発光制御手段である。
【００４２】
フォトダイオード３１３は、放電管３０７の照射光を受光するセンサであり、直接またはグラスファイバーなどを介して放電管３０７の照射光を受光する。フォトダイオード３１３から出力される電流値は、積分回路３０９にて積分される。
【００４３】
積分回路３０９は、フォトダイオード３１３が放電管３０７の照射光を受光して生じる電流値を積分する積分回路であり、積分回路３０９の出力は、コンパレータ３１２の反転入力端子とストロボマイコン３１０に入力される。
【００４４】
ストロボマイコン（ＦＰＵ）３１０は、照明装置３００の各部の動作を統括的に制御する制御手段である。ストロボマイコン３１０は、例えばＣＰＵ、ＲＯＭ、ＲＡＭ、入出力制御回路（Ｉ／Ｏコントロール回路）、マルチプレクサ、タイマ回路、ＥＥＰＲＯＭ、Ａ／Ｄコンバータ、Ｄ／Ａコンバータ等を含むマイコン内蔵ワンチップＩＣ回路構成である。なの、ストロボマイコン３１０が実行する動作の詳細については後述する。
【００４５】
ＡＮＤゲート３１１は、コンパレータ３１２に接続されていない入力部がストロボマイコン３１０に接続され、出力部が発光制御回路３０８に接続されている。コンパレータ３１２は、反転入力端子が積分回路３０９の出力部に接続され、非反転入力がストロボマイコン３１０に接続され、出力部がＡＮＤゲート３１１に接続されている。本実施形態では、発光制御回路３０８が、積分回路３０９の積分レベルとストロボマイコン３１０により設定された基準レベルとを比較することで、積分回路３０９の積分レベルが基準レベルに達すると発光の停止を制御することができる。
【００４６】
モータードライバー回路およびモーター等を有するズーム駆動部３１４は、後述する照射面３１７を移動させることで、照射面３１７と放電管３０７との距離を変化させることができる駆動部である。第１のエンコーダ３１５は、前述したズーム駆動部３１４によって移動した照射面３１７の位置、あるいは照射面３１７の駆動量を検出する検出手段である。
【００４７】
反射傘３１６は、放電管３０７から照射された光を発光部３５０の照射方向へと反射する光学部材である。照射面３１７は、透明なパネル等からなり放電管３０７から照射された光のムラを軽減するとともに放電管３０７から照射された光の照射範囲を広げて放電管３０７からの光を射出する光学部材である。照射面３１７と放電管３０７との距離を変更することで、照射範囲の拡大や縮小を行うことができる。
【００４８】
ストロボ入力部３２０は、電源スイッチ、照明装置３００の設定などを入力するため設定ボタンなどの各種操作部を含む操作手段である。また、ストロボ入力部３２０には、後述するオートバウンス発光撮影の実行を指示するための操作を受け付ける、オートバウンスボタンを含んでいる。ストロボ表示部３２１は、照明装置３００の各種状態などを表示する表示手段である。
【００４９】
モータードライバー回路およびモーター等を有するバウンス駆動部３５１は、発光部３５０を本体部３４０に対して第１の軸および第２の軸を中心にして回動させることができる駆動手段である。なお、後述するオートバウンス発光撮影では、バウンス駆動部３５１が、ストロボマイコン３１０からの指示（駆動信号の受信）に応じて、発光部３５０を第１の軸と第２の軸回りに回動させることで、発光部３５０を自動的に移動させることが出来る。
【００５０】
第２のエンコーダ３５２は、発光部３５０の位置あるいは発光部３５０の回動量を検出することで、照明装置３００の照射光の照射方向（回動角度）を検出する発光角度検出手段である。ストロボマイコン３１０は、第２のエンコーダ３５２からの出力信号に応じて、本体部３４０に対する発光部３５０の回動状態を検出する。そして、ストロボマイコン３１０は、検出した発光部３５０の回動状態に基づいて、照明装置３００の照射光の照射方向を検出することができる。なお、本実施形態における照明装置３００の照射方向とは、本体部３４０に対する発光部３５０の上下方向および左右方向の回動角度である。この詳細については後述する。
【００５１】
姿勢検知センサ３６０は、重力方向に対する本体部３４０の姿勢を検知することができる姿勢検出手段であって、３軸の加速度センサなどを有している。
【００５２】
図３は、本発明の第１実施形態に係る発光部３５０の上下方向の回動量とエンコーダ３５２の出力信号との関係を例示的に説明した図である。図３（ａ）は、エンコーダ３５２のうち、上下方向（垂直方向）の回動量（回動角度）を検出する検出器の構成例を説明する図である。図３（ｂ）は、エンコーダ３５２の出力と発光部３５０の上下方向の回動量との対応関係について例示的に説明した図である。
【００５３】
発光部３５０は基準位置から上方向に９０度まで回動可能であって、図３（ｂ）に示すように、エンコーダ３５２は、上下用エンコーダによって１５度単位で発光部３５０の上下方向の回動角度を検出することができる。この構成について具体的に説明する。
【００５４】
図３（ａ）に図示するように、エンコーダ３５２には、不図示の基板上に円弧形状の導通パターン（グランドパターン）４０１、４０２、４０３がそれぞれ形成されている。そして、それぞれのグランドパターンはアース部（ＧＮＤ）に接続されている。発光部３５０の垂直（上下）方向の回動に伴い、グランドパターン４０１、４０２、４０３上を摺動する摺動切片４０５、４０６、４０７は、それぞれ信号線ｂｉｔ３、ｂｉｔ２、ｂｉｔ１を介してストロボマイコン３１０の信号入力端子に接続されている。さらに、信号線ｂｉｔ３、ｂｉｔ２、ｂｉｔ１はそれぞれ、抵抗４５３、４５２、４５１を介して電源ＶＤＤに接続されている。
【００５５】
本体部３４０が上下方向に回動すると、その回動量に応じて摺動切片４０５、４０６、４０７とグランドパターン４０１、４０２、４０３との接触／非接触が変化する。当該変化によって、図３（ｂ）で図示したように、発光部３５０の上下方向の回動量に応じて信号線ｂｉｔ３、ｂｉｔ２、ｂｉｔ１におけるＬｏ（０）とＨｉ（１）の組み合わせが変化する。ストロボマイコン３１０は、このＬｏ（０）とＨｉ（１）の組み合わせを検出することで発光部３５０の上下方向の回動角度を検出することができる。
【００５６】
図４は、本発明の第１実施形態に係る照明装置３００の発光部３５０が上下方向に回動している状態を例示的に説明する図である。図４（ａ）〜（ｄ）は、それぞれ、発光部３５０の左右方向の回動角度が０度であって、発光部３５０の上下方向の回動角度が０度、６０度、７５度、９０度の場合を示している。なお、図４（ａ）に図示する状態が、発光部３５０が基準位置にある状態である。
【００５７】
例えば、図４（ａ）に図示するように、発光部３５０の上下方向の回動角度が０度の状態では、エンコーダ３５２の上下方向の回動量に関する出力は（ｂｉｔ３，ｂｉｔ２，ｂｉｔ１）＝（０，０，０）となる（図３（ｂ）に図示）。また、図４（ｂ）に図示するように、発光部３５０の上下方向の回動角度が６０度の状態では、エンコーダ３５２の上下方向の回動量に関する出力は（ｂｉｔ３，ｂｉｔ２，ｂｉｔ１）＝（０，０，１）となる（図３（ｂ）に図示）。また、図４（ｃ）に図示するように、発光部３５０の上下方向の回動角度が７５度の状態では、エンコーダ３５２の上下方向の回動量に関する出力は（ｂｉｔ３，ｂｉｔ２，ｂｉｔ１）＝（０，１，１）となる（図３（ｂ）に図示）。また、図４（ｄ）に図示するように、発光部３５０の上下方向の回動角度が９０度の状態では、エンコーダ３５２の上下方向の回動量に関する出力は（ｂｉｔ３，ｂｉｔ２，ｂｉｔ１）＝（１，１，１）となる（図３（ｂ）に図示）。
【００５８】
なお、エンコーダ３５２の左右方向の回動量を検出する検出器（不図示）の構成および、発光部３５０の左右方向の回動角度の検出方法は、上述した発光部３５０の上下方向の回動角度の検出と略同一である。ここで、エンコーダ３５２は、発光部３５０の左右（水平）方向の回動角度として、−９０度から９０度までの回動角度を検出することができる。本実施形態では、照明装置３００が基準位置にある状態を基準として、照明装置３００を撮影者側（背面）から見て右側に回動させたときの回動角度を正の角度（プラス）として検出し、左側に回動させたときの回動角度を負の角度（マイナス）として検出する。異なる言い方をすれば、照明装置３００を上側から見て、第２の軸を中心に発光部３５０を基準位置から右方向（右回り）に回動させた際の回動角度を正の回動角度（プラス）とする。また、照明装置３００を上側から見て、第２の軸を中心に発光部３５０を基準位置から左方向（左回り）に回動させた際の回動角度を負の回動角度（マイナス）とする。
【００５９】
上述した構成によって、本実施形態の照明装置３００は、発光部３５０の上下方向および左右方向の回動角度を検出することができる。なお、本実施形態のエンコーダ３５２は、信号線が３つ設けられているような構成であるが、信号線を増やすことで、発光部３５０の回動角度をより細かく検出するような構成であってもよい。
【００６０】
なお、本実施形態の照明装置３００は、本体部３４０に対して発光部３５０を上下方向（垂直方向）に０度〜９０度、左右方向（水平方向）に−９０度〜９０度の間で回動させることができる構成であるが、これに限定されるものではない。例えば、本体部３４０に対して発光部３５０を、上下方向に９０度以上回動できるような構成であってもよいし、左右方向に−１８０度〜１８０度の間で回動できるような構成であってもよい。また、少なくとも、カメラ姿勢を変更した場合に、変更前のカメラ姿勢と変更後のカメラ姿勢とで、発光部３５０から照射させる光を反射させる反射体を同一にすることが可能な範囲で回動できるような構成であってもよい。
【００６１】
また、本実施形態における発光部３５０の回動角度が０度である状態、およびカメラ本体１００の回転角度が０度である状態とは、公差等の影響などによる誤差を考慮して厳密な０度でなくてもよいものとする。
【００６２】
以下、図５を参照して、照明装置３００が、（レンズユニット２００が取り付けられている状態の）カメラ本体１００に取り付けられている場合のバウンス発光撮影について、カメラ姿勢の変化に対応した発光部３５０の光の照射方向の変化について説明する。図５は、本発明の第１実施形態に係るカメラ姿勢の変化に応じた発光部３５０の光の照射方向の変化を例示的に説明する図である。図５（ａ）は、カメラ本体１００が正位置であって発光部３５０が基準位置に位置する状態から、カメラ姿勢を変更する場合を示している。図５（ｂ）は、カメラ本体１００が正位置であって発光部３５０が上下方向に９０度回動した状態から、カメラ姿勢を変更する場合を示している。図５（ｃ）は、カメラ本体１００が正位置であって発光部３５０が左方向に９０度回動した状態から、カメラ姿勢を変更する場合を示している。図５（ｄ）は、カメラ本体１００が正位置であって発光部３５０が右方向に９０度回動した状態から、カメラ姿勢を変更する場合を示している。
【００６３】
図５（ａ）に図示するように、発光部３５０を正面方向に向けて発光撮影を行う場合は、発光部３５０からの照射光を被写体に向けて直接照射するというユーザの意図がある。この場合、バウンス発光撮影を行わないので、バウンス発光撮影に用いる反射体を考慮する必要はない。
【００６４】
図５（ｂ）に図示するように、発光部３５０を上方向に９０度回動させてバウンス発光撮影を行う場合、当該バウンス発光撮影に用いる反射体は天井が想定される。この場合、発光部３５０の左右方向の回動角度が０度であるので、カメラ姿勢を正位置から縦位置に変更させたとしても、カメラ姿勢を変更する前と同様の反射体（天井）に向けてバウンス発光撮影を行うことができる。すなわち、発光部３５０の左右方向の回動角度が０度である場合は、カメラ本体１００のカメラ姿勢の変更に関わらず、カメラ姿勢変更前の反射体に向けてバウンス発光撮影を行うことができる。
【００６５】
しかしながら、図５（ｃ）、（ｄ）に図示するように、発光部３５０の左右方向の回動角度が０度でない場合は、カメラ姿勢の変更後に、カメラ姿勢変更前の発光部３５０の回動角度に応じて、変更前と同様の反射体でバウンス発光撮影が出来ない場合がある。
【００６６】
例えば、図５（ｃ）に図示するように、発光部３５０の回動角度が左方向に９０度、上方向に０度である場合は、カメラ姿勢を正位置から縦位置（左方向）に変更したとしても、カメラ姿勢変更前と同様の反射体に向けてバウンス発光撮影を行うことができる。しかしながら、カメラ姿勢を正位置から縦位置（右方向）に変更した場合は、発光部３５０の可動角度の変更が可能な範囲の機械的な制限があるので、カメラ姿勢変更前と同様の反射体に向けてバウンス発光撮影を行うことはできない。また、図５（ｄ）に図示するように、発光部３５０の回動角度が右方向に９０度、上方向に０度である場合は、カメラ姿勢を正位置から縦位置（右方向）に変更したとしても、カメラ姿勢変更前と同様の反射体に向けてバウンス発光撮影を行うことができる。しかしながら、カメラ姿勢を正位置から縦位置（左方向）に変更した場合は、カメラ姿勢変更前と同様の反射体に向けてバウンス発光撮影を行うことはできない。
【００６７】
以上説明したように、発光部３５０の左右方向の回動角度（照射方向）が０度ではない場合は、発光部３５０の照射方向と異なる方向にカメラ姿勢を変更すると、カメラ姿勢変更前と同一の反射体に向けてバウンス発光撮影を行うことが出来ない。この場合、１度バウンス発光撮影を行った後に、カメラ姿勢のみを変更してバウンス発光撮影を行いたいというユーザの意図に反してバウンス発光撮影が行われてしまうことがある。
【００６８】
ここで、発光部３５０を自動的に移動させることで、発光部３５０から照射される光の照射方向を変更するようなバウンス発光撮影（以下、オートバウンス発光撮影と称す）を行う場合について説明する。オートバウンス発光撮影において、カメラマイコン１０１は、被写体までの距離情報（第１の距離情報）と反射体までの距離情報（第２の距離情報）とに基づいて、バウンス発光撮影に最適な発光部３５０の光の照射方向（回動角度）を設定（算出）する。そして、カメラマイコン（変更手段）１０１は、設定された発光部３５０の回動角度に応じてバウンス駆動部３５１の不図示のモーターを駆動させる。この構成によって、発光部３５０を自動的に変更（移動）させることができる。
【００６９】
なお、本実施形態の照明装置３００には、照射面３１７と同じ面に不図示の受光センサが設けられており、当該受光センサによって、被写体方向および反射体方向に向けて発光部３５０をプリ発光させた際の反射光を受光することができる。そして、ストロボマイコン（第１、第２の取得手段）３１０は、当該受光センサの出力に基づいて、被写体までの距離情報および反射体までの距離情報を取得する。
【００７０】
ここで、カメラ姿勢を正位置から縦位置に変更したとしても、カメラ側から撮影対象の被写体までの距離情報に大きな変化はない。また、発光部３５０の左右方向の回動角度と同一の方向にカメラ姿勢を変更した場合は、カメラ姿勢変更前と同一の反射体に向けてバウンス発光撮影を行うことができるので、反射体までの距離情報を新たに取得する必要はない。すなわち、発光部３５０の左右方向の回動角度と同一の方向にカメラ姿勢を変更した場合は、被写体までの距離情報や反射体までの距離情報を新たに取得する必要はない。
【００７１】
しかしながら、発光部３５０の左右方向の回動角度と異なる方向にカメラ姿勢を変更した場合は、カメラ姿勢の変更後に、変更前と同一の反射体に向けてバウンス発光撮影を行うことが出来ない。したがって、カメラ姿勢変更後のバウンス発光撮影に用いる反射体までの距離情報を新たに取得しなければならない。すなわち、カメラ姿勢を変更することで、発光部３５０の回動角度（照射方向）を設定する時間や電力が余計に必要になってしまう。
【００７２】
例えば、カメラ本体１００の右側面から距離ａの位置に第１の反射体である壁Ａが存在し、カメラ本体１００の左側面から距離ｂの位置に、第２の反射体である壁Ｂが存在している場合を想定する。なお、距離ａと距離ｂの値はそれぞれ異なるものとする。この場合、カメラ姿勢が横位置で発光部３５０が壁Ａの方向を向いている状態から、カメラ姿勢が縦位置（右方向）となるようにカメラ本体１００の姿勢を変更しても、前述したように、被写体までの距離情報と、壁Ａまでの距離情報はほとんど変化しない。したがって、カメラ姿勢を横位置から縦位置（右方向）へと変更したとしても、被写体までの距離情報と壁Ａまでの距離情報を新たに取得する必要はない。
【００７３】
これに対して、カメラ姿勢が横位置で発光部３５０が壁Ａの方向を向いている状態から、カメラ姿勢が縦位置（左方向）となるようにカメラ本体１００の姿勢を変更すると、壁Ａに向けてバウンス発光撮影を行うことが出来ない。この場合、カメラ姿勢の変更に伴ってバウンス発光撮影に用いる反射体を、壁Ａから壁Ｂへと変更する必要があるので、壁Ｂまでの距離情報（距離ｂに関する情報）を新たに取得しなければならない。したがって、カメラ姿勢を横位置から縦位置（右方向）へと変更した場合と比較して、カメラ姿勢を横位置から縦位置（左方向）へと変更した場合の方が、壁Ｂまでの距離情報を新たに取得するための時間と電力が余計に必要となってしまう。
【００７４】
そこで、上述した種々の問題に対応するために、本実施形態では、バウンス発光撮影をおこなうときに、発光部３５０の現在の回動角度（照射方向）に基づいて、現在と同一の反射体に向けてバウンス発光撮影が可能なカメラ姿勢を報知する構成を採用する。
【００７５】
以下、本実施形態における、カメラ姿勢を変更可能な方向を報知するための制御（以下、姿勢報知制御と称す）について図６を参照して説明する。図６は、本発明の第１実施形態に係る姿勢報知制御を示すフローチャートである。なお、以下の説明では、カメラ本体１００にレンズユニット２００および照明装置３００が取り付けられている状態であるとする。なお、本実施形態では、カメラ本体１００と照明装置３００とを含む撮像システムにおいて、カメラマイコン１０１およびストロボマイコン３１０の指示に応じて、カメラ本体１００、レンズユニット２００、照明装置３００の各部の動作が制御される。そして、当該各部の動作が制御されることによって、後述する種々の制御や処理が実行される。
【００７６】
まず、不図示の電源スイッチがオンされると、カメラ本体１００内の各部およびレンズユニット２００側に電力が供給される。この状態で、カメラマイコン１０１は、設定されている撮影モードなどの条件を読み出す。そして、ステップＳ１０１でカメラマイコン１０１は、不図示のレリーズスイッチがＳＷ１状態（例えば、半押し）にされたか否かを判定する。レリーズスイッチがＳＷ１状態にされるまでステップＳ１０１の処理が繰り返し行われる。
【００７７】
なお、以下の説明では、ユーザにより不図示のレリーズスイッチがＳＷ１状態にされたことに応じて、図６に図示する姿勢報知制御と並行してバウンス発光撮影に関する制御がカメラマイコン１０１およびストロボマイコン３１０によって実行されるものとする。当該制御としては、レリーズスイッチがＳＷ１状態にされたことに応じて、発光部３５０の回動角度（照射方向）が検出される。そして、ＡＦ制御およびＡＥ制御が実行され、バウンス発光撮影に係るレンズユニット２００（に含まれるフォーカスレンズ）のレンズ位置、シャッタースピード、絞り値、ゲイン量、発光量などの撮影条件が決定される。レリーズスイッチのＳＷ２状態が検出されると、上述した撮影条件に基づいて被写体が撮像される。以下の説明では、当該バウンス発光撮影を行う場合を想定する。
【００７８】
なお、発光部３５０の照射方向を自動的に設定してバウンス発光撮影を行うオートバウンス発光撮影を行う場合は、レリーズスイッチがＳＷ１状態にされたことに応じて、正面方向および天井方向に向けて発光部３５０によるプリ発光を行う。そして、カメラマイコン１０１は、不図示の受光センサによって当該プリ発光による被写体および反射体（例えば、天井など）からの反射光を受光し、当該反射光の情報に基づいて、被写体および反射体に関する距離情報（第１、第２の距離情報）を取得する。そして、カメラマイコン１０１は、当該距離情報に基づいて発光部３５０の照射方向（回動角度）を算出し、算出結果に基づいて発光部３５０の照射方向を変更させる。これ以外の構成については、上述したバウンス発光撮影の制御と略同一である。
【００７９】
なお、オートバウンス発光撮影制御において、発光部３５０の回動角度（照射方向）が変更された後にカメラ姿勢が変更された場合は、変更後のカメラ姿勢において再び、発光部３５０の回動角度（照射方向）を算出、および変更する。ここで、後述する回転可能方向が報知された後に、当該報知された方向にカメラ姿勢が変更された場合は、上述した被写体および反射体までの距離情報は取得しない構成である。この詳細については後述する。
【００８０】
図６に戻り、ステップＳ１０２でストロボマイコン３１０は、エンコーダ３５２からの出力に基づいて、現在の発光部３５０の照射方向（回動角度）を検出し、当該検出結果に関する情報をカメラマイコン１０１に送信する。
【００８１】
次に、ステップＳ１０３でカメラマイコン１０１は、姿勢検出部１１７の検出結果に基づいてカメラ本体１００の現在のカメラ姿勢を検出する。
【００８２】
次に、ステップＳ１０４でカメラマイコン１０１は、発光部３５０の照射方向と現在のカメラ姿勢に関する情報に基づいて、現在と同一の反射体に向けてバウンス発光撮影が可能なカメラ姿勢を判定する処理（以下、回転可能方向判定処理と称す）を実行する。すなわち、カメラマイコン（第１の判定手段）１０１は、発光部３５０の現在のバウンス対象である反射体と同一の反射体に向けてバウンス発光撮影が可能な、カメラ本体１００の撮影光軸中心の回転方向を判定する。以下、回転可能方向判定処理について図７を参照して説明する。図７は、本発明の第１実施形態に係る回転可能方向判定処理を示すフローチャートである。
【００８３】
図７に図示するように、ステップＳ２０１でカメラマイコン１０１は、発光部３５０の左右方向（水平方向）の回動角度が０度であるか否かを判定する。
【００８４】
カメラマイコン１０１によって、発光部３５０の左右方向の回動角度が０度であると判定された場合、ステップＳ２０２でカメラマイコン１０１は、カメラ本体１００を左右方向の両方に回転可能であると判定する。すなわち、カメラ本体１００の現在の状態から、カメラ姿勢を左右両方向に変更可能であると判定する。
【００８５】
カメラマイコン１０１によって、発光部３５０の左右方向の角度が０度でないと判定された場合はステップＳ２０３に進む。そして、ステップＳ２０３でカメラマイコン１０１は、発光部３５０の左右方向の回動角度が０度よりも大きい角度であるか否かを判定する。
【００８６】
カメラマイコン１０１によって、発光部３５０の左右方向の回動角度が０度よりも大きい角度であると判定された場合、ステップＳ２０４でカメラマイコン１０１は、カメラ本体１００を右方向に回転可能であると判定する。すなわち、カメラ本体１００の現在の状態から、カメラ姿勢を右方向に変更可能であると判定する。
【００８７】
また、カメラマイコン１０１によって、発光部３５０の左右方向の回動角度が０度よりも小さい角度であると判定された場合、ステップＳ２０５でカメラマイコン１０１は、カメラ本体１００を左方向に回転可能であると判定する。すなわち、カメラ本体１００の現在の状態から、カメラ姿勢を左方向に変更可能であると判定する。以上が、本実施形態の回転可能方向判定処理である。
【００８８】
なお、変更前のカメラ本体１００のカメラ姿勢と発光部３５０の回動角度との関係に基づく、カメラ本体１００の回転可能な方向および、変更可能なカメラ姿勢との詳細な関係については図８に示す。図８は、本発明の第１実施形態に係る、カメラ姿勢と発光部３５０の回動角度との基づく、カメラ本体１００の回転可能な方向および変更可能なカメラ姿勢のとの関係を示す図である。
【００８９】
例えば、現在のカメラ本体１００のカメラ姿勢が縦位置（右方向）であって、発光部３５０の回動角度が左方向（マイナス側）である場合、図８に示すように、カメラ本体１００の回転可能な方向は右方向であって、変更可能なカメラ姿勢は横位置となる。
【００９０】
図６に戻り、ステップＳ１０５でカメラマイコン（報知手段）１０１は、ステップＳ１０４の判定結果に基づいて、回転可能なカメラ本体１００の方向に関する情報（または、変更可能なカメラ姿勢に関する情報）を表示部１１３に表示させる。図９は、本発明の第１実施形態に係るカメラ本体１００の回転可能な方向（以下、回転可能方向と称す）に関する情報の報知例（表示例）である。図９（ａ）〜（ｃ）のそれぞれは、回転可能方向が右方向の場合、左方向の場合、左右両方の場合の表示例である。
【００９１】
なお、図９（ａ）〜（ｃ）のそれぞれは、カメラ本体１００の背面に設けられた表示部１１３の表示画面を示しており、表示画面の下部には、シャッタースピードや絞り値等の撮影条件と回転可能方向を示すアイコンが表示される。なお、本実施形態では、表示部１１３に回転可能方向を示すアイコンを表示させるような構成であるが、これに限定されるものではない。例えば、光学ファインダー１１６内の表示部分に当該アイコンを表示させるような構成であってもよいし、照明装置３００のストロボ表示部３２１に当該アイコンを表示させるような構成であってもよい。
【００９２】
また、上述した回転可能方向を報知する方法としては、回転可能方向を示すアイコンを表示させる以外に、カメラ本体１００または照明装置３００にＬＥＤなどの照明部を設け、回転可能方向に対応して当該ＬＥＤなどを点灯させるような構成であってもよい。
【００９３】
図６に戻り、ステップＳ１０６でカメラマイコン１０１は、姿勢検出部１１７の検出結果に基づいて、カメラ本体１００のカメラ姿勢が変更されたか否かを判定する。カメラマイコン１０１によって、カメラ姿勢が変更されたと判定された場合は、後述する図１０に図示するフローチャートのステップＳ３０１の処理へと進む。また、カメラマイコン１０１によって、カメラ姿勢が変更されていないと判定された場合は、現在の姿勢報知制御を終了する。
【００９４】
以下、図１０を参照して、カメラ姿勢を変更した後の姿勢報知制御について説明する。図１０は、本発明の第１実施形態に係るカメラ姿勢変更後の姿勢報知制御を示すフローチャートである。
【００９５】
ステップＳ３０１でカメラマイコン１０１は、姿勢検出部１１７の検出結果に基づいてカメラ本体１００の現在のカメラ姿勢を検出する。そして、ステップＳ３０２でカメラマイコン（第２の判定手段）１０１は、ステップＳ３０１で検出したカメラ姿勢が、前述したステップＳ１０５で表示されたカメラ本体１００の回転可能方向と一致しているか否かを判定する。
【００９６】
カメラマイコン１０１によって、変更後のカメラ姿勢が表示された回転可能方向である（ステップＳ３０２でＹＥＳ）と判定された場合、ステップＳ３０３でカメラマイコン１０１は、表示部１１３に表示されている回転可能方向（のアイコン）を消灯する。以降のステップＳ３０４〜Ｓ３０７の処理は、前述したステップＳ１０２およびステップＳ１０４〜Ｓ１０６の処理と同様である。
【００９７】
なお、ステップＳ３０５の処理を行わずに、ステップＳ３０６で、変更前のカメラ姿勢となるカメラ本体１００の回転方向を、回転可能方向を示すアイコンとして表示させるような構成であってもよい。
【００９８】
以上説明したように、本実施形態では、カメラ姿勢が変更されるごとに、回転可能方向を示すアイコンの表示内容を変更するような構成である。例えば、カメラ姿勢が横位置であって、回転可能方向が左方向であることを示すアイコンが表示されている状態から、カメラ姿勢を縦位置（左方向）に変更すると、回転可能方向として右方向（元の位置に戻る方向）であることを示すアイコンが表示される。
【００９９】
なお、オートバウンス発光撮影に係る姿勢報知制御である場合は、ステップＳ３０３〜Ｓ３０４の処理の間に、カメラマイコン１０１の指示によって、発光部３５０の回動角度（照射方向）の変更に係る処理が実行される。
【０１００】
当該処理としては、例えば、カメラ姿勢変更前の発光部３５０の回動角度における照射面３１７と、カメラ姿勢変更後の照射面３１７とが略同一の方向を向くように、カメラ姿勢変更後の発光部３５０の回動角度を設定する。この構成によって、カメラ姿勢が変更された場合であっても、カメラ姿勢変更前と略同一の回動角度（照射方向）で発光部３５０を発光させることができる。
【０１０１】
なお、オートバウンス発光撮影制御では、前述したように、ステップＳ１０５で報知された回転可能方向へとカメラ姿勢が変更された場合は、被写体までの距離情報（第１の距離情報）と反射体までの距離情報（第２の距離情報）は新たに取得しない構成である。これに対して、ステップＳ１０５で報知された回転可能方向とは異なる方向へとカメラ姿勢が変更された場合は、当該姿勢の変更後に、少なくとも反射体までの距離情報（第２の距離情報）を新たに取得する構成である。そして、当該新たに取得した反射体までの距離情報と、既に取得している被写体までの距離情報とに基づいて、変更後のカメラ姿勢における、発光部３５０の最適な回動角度（照射方向）を新たに算出する。なお、本実施形態では、ステップＳ１０５で報知された回転可能方向とは異なる方向へとカメラ姿勢が変更された場合に、反射体までの距離情報を新たに取得するような構成であるが、これに限定されるものではない。例えば、上述したような場合に、反射体までの距離情報に加えて、被写体までの距離情報も新たに取得するような構成であってもよい。
【０１０２】
以上説明したように、オートバウンス発光撮影制御では、カメラ姿勢の変更前に報知された回転可能方向へと向けてカメラ姿勢が変更された場合に、被写体および反射体までの距離情報を新たに取得しない。そして、この場合は、カメラ姿勢変更前に報知された回転可能方向とは異なる方向へとカメラ姿勢が変更された場合と比較して、反射体まで距離情報を新たに取得するために必要な電力および時間を低減することができる。したがって、発光部３５０の回動角度（照射方向）を設定する時間や電力が余計に必要となることと抑制することができる。
【０１０３】
図１０に戻り、カメラマイコン１０１によって、変更後のカメラ姿勢が、表示された回転可能方向と一致していない（ステップＳ３０２でＮＯ）と判定された場合、ステップＳ３０８でカメラマイコン（報知手段）１０１は、表示部１１３に警告を表示させる。例えば、図１１に図示するように、表示部１１３に表示させている回転可能方向を示すアイコンを点滅させることで、回転可能方向とは異なる向きにカメラ本体１００が回転されている旨の警告を報知する。なお、図１１は、本発明の第１実施形態に係る撮像システムにおけるユーザに対する警告の表示例を説明する図である。
【０１０４】
なお、回転可能方向とは異なる向きにカメラ本体１００が回転されている旨の警告を報知する方法としては、ブザーを鳴らすなど、表示以外の報知方法を採用するような構成であってもよい。
【０１０５】
次に、ステップＳ３０９でカメラマイコン１０１は、姿勢検出部１１７の検出結果に基づいて、カメラ本体１００のカメラ姿勢が変更されたか否かを判定する。カメラマイコン１０１によって、カメラ姿勢が変更されていないと判定された場合は、表示部１１３への警告の表示を継続させたままステップＳ３０９の処理を繰り返す。
【０１０６】
カメラマイコン１０１によって、カメラ姿勢が変更されたと判定された場合はステップＳ３１０に進む。そして、ステップＳ３１０でカメラマイコン１０１は、ステップＳ３０９で検出したカメラ姿勢に関する情報に基づいて、変更後のカメラ姿勢が、前述したステップＳ１０５で表示されたカメラ本体１００の回転可能方向と一致しているか否かを判定する。
【０１０７】
カメラマイコン１０１によって、変更後のカメラ姿勢が表示された回転可能方向と一致していないと判定された場合はステップＳ３０９に戻る。また、カメラマイコン１０１によって、変更後のカメラ姿勢が表示された回転可能方向と一致していると判定された場合、ステップＳ３１１でカメラマイコン１０１は、表示部１１３で表示されている警告を解除し、ステップＳ３０３へと進む。以降の処理は前述した通りである。以上が、本実施形態の姿勢報知制御である。
【０１０８】
以上説明したように、本実施形態の撮像システムでは、カメラ本体１００のカメラ姿勢と、発光部３５０の回動角度に関する情報に基づいて、反射体を変更することなくバウンス発光撮影が可能なカメラ本体１００の回転方向を報知する構成である。
【０１０９】
この構成によって、ユーザは、現在のカメラ本体１００および照明装置３００の状態から、バウンス発光撮影に用いる反射体を同一にすることができる、カメラ本体１００の回転方向やカメラ姿勢を容易に知ることができる。そして、ユーザは、当該報知された回転可能方向などを参照してカメラ姿勢を変更することで、意図する反射体に向けたバウンス発光撮影を継続して行うことが出来る。
【０１１０】
したがって、本実施形態の撮像システムは、撮影者が意図する反射体に向けたバウンス発光撮影をおこなうことができる撮像装置の姿勢を、撮影者が容易に認識することができる。なお、オートバウンス発光撮影時は、発光部３５０の回動角度（照射方向）を設定する時間や電力が余計に必要となることを抑制することもできる。
【０１１１】
（第２実施形態）
本実施形態では、前述した第１実施形態の構成に加えて、撮影対象の被写体の顔の向きに応じて、カメラ姿勢を変更したとしても、同一の反射体に向けたバウンス発光撮影が可能なカメラ本体１００の回転可能方向を報知する場合について説明する。なお、カメラ本体１００、レンズユニット２００、照明装置３００の構成については、前述した第１実施形態と略同一の構成については説明を省略し、前述した第１実施形態と同じ符号を付す。本実施形態では、前述した第１実施形態と異なる構成についてのみ説明する。
【０１１２】
図１２は、本発明の第２実施形態に係る撮像システムにおける被写体の顔の向きに応じたバウンス発光撮影について例示的に説明した図である。図１２（ａ）は、天井に向けてバウンス発光撮影を行う際のカメラ姿勢ごとの照射位置の違いを例示的に説明するである。図１２（ｂ）は、顔が向いている方向からバウンス発光撮影を行った場合の撮影画像を例示的に説明する図である。図１２（ｃ）は、顔の向いている方向とは反対方向からバウンス発光撮影を行った場合の撮影画像を例示的に説明する図である。
【０１１３】
反射体が天井である場合、バウンス撮影でカメラ姿勢を横位置から縦位置に変更すると、レンズユニット２００の撮影光軸はほとんど移動しないが、照明装置３００の発光位置は変化する。そのため、カメラ姿勢を横位置から縦位置へと変更した場合は、図１２（ａ）に図示するように、発光部３５０から照射された照射光が反射する反射体上の位置は変化する。
【０１１４】
ここで、撮影対象の被写体が人物であって当該人物顔が撮影者側に位置する場合、当該顔が撮影者に対して斜め方向を向いていると、バウンス発光撮影時のカメラ姿勢に応じて、人物の顔が適正な明るさに照明されないことがある。
【０１１５】
例えば、図１２（ｂ）に図示するように、人物の顔が撮影者から見て左方向を向いている場合にカメラ姿勢を横位置から縦位置（左方向）に変更することで、バウンス発光撮影時に、天井で反射した光を顔の正面方向からあてることができる。この場合、目や鼻、口などの顔の特徴部分を含む顔の正面部分に影が出来ることはない。
【０１１６】
これに対して、図１２（ｃ）に図示するように、人物の顔が撮影者から見て左方向を向いている場合にカメラ姿勢を横位置から縦位置（右方向）に変更することで、バウンス発光撮影時に、天井で反射した光は顔の側面側にあたってしまう。この場合、顔の正面部分に影が出来てしまうことがあるため、ユーザが意図する明るさの画像を取得することが出来ない。
【０１１７】
そこで、本実施形態では、バウンス発光撮影時の撮影対象の被写体が人物である場合に、バウンス発光撮影に用いる反射体が変化することなく、人物の顔の向きに適した方向からバウンス発光撮影が可能となるカメラ姿勢をユーザに対して報知する。
【０１１８】
本実施形態の測光回路１０６は、撮像素子によって構成された測光センサを含んでいる。カメラマイコン（顔検出手段）１０１は、当該測光センサで得られた測光結果に基づいて、被写体に含まれる目や鼻、口等の顔の特徴部を抽出することで、被写体に含まれる顔（顔領域）を検出する。
【０１１９】
また、カメラマイコン（顔判定手段）１０１は、検出した顔の特徴部分に関する情報と、カメラ本体１００の不図示のメモリに予め格納されている顔の向きに応じた特徴部分の情報とを比較して、被写体に含まれる顔の向きを判定する。上述した顔の特徴部分に関する情報としては、例えば、顔の特徴部分の傾きや、顔全体の大きさに対する特徴部分の比率などである。なお、顔の検出方法および顔の向きの判定方法としては、公知の方法であればどのような方法を採用してもよい。
【０１２０】
ここで、メモリに予め格納されている顔の向きに応じた特徴部分の情報としては、顔の正面方向、右方向、左方向のそれぞれの状態における顔の特徴部分の傾きや顔全体に対する比率などの情報である。したがって、本実施形態で判定できる顔の向きとしては、正面方向、右方向、左方向の計３つの方向である。なお、上述した方向以外の顔の向きを判定できるような構成であってもよい。
【０１２１】
また、本実施形態では、カメラ本体１００側で被写体に含まれる顔を検出するような構成であるが、これに限定されるものではない。例えば、照明装置３００に撮像素子を設けて、ストロボマイコン３１０が当該撮像素子からの出力に基づいて、被写体に含まれる顔の検出と、検出した顔の向きを判定するような構成であってもよい。
【０１２２】
以下、図１３を参照して、本実施形態における姿勢報知制御について説明する。図１３は、本発明の第２実施形態に係る姿勢報知制御を示すフローチャートである。なお、前述した第１実施形態における姿勢報知制御（図６に図示）と異なる構成についてのみ説明する。
【０１２３】
ステップＳ４０１〜Ｓ４０２の処理は、前述した第１実施形態のステップＳ１０１〜Ｓ１０２と同様なので、説明は省略する。ステップＳ４０３でカメラマイコン１０１は、測光センサの測光結果に基づいて、撮影対象の被写体から顔を検出する。そして、ステップＳ４０４でカメラマイコン１０１は、ステップＳ４０３の検出結果に基づいて、撮影対象の被写体に顔が含まれるか否かを判定する。
【０１２４】
カメラマイコン１０１によって、撮影対象の被写体に顔が含まれていない（ステップＳ４０４でＮＯ）と判定された場合は、ステップＳ４０６に進む。また、カメラマイコン１０１によって、撮影対象の被写体に顔が含まれている（ステップＳ４０４でＹＥＳ）と判定された場合は、ステップＳ４０５に進む。
【０１２５】
ステップＳ４０５でカメラマイコン１０１は、測光センサの測光結果に基づいて、被写体に含まれる顔の向きを判定し、判定結果を不図示のメモリに記録する。ステップＳ４０６は前述した第１実施形態のステップＳ１０３と同様なので説明は省略する。
【０１２６】
次に、ステップＳ４０７でカメラマイコン１０１は、回転可能方向判定処理を実行する。本実施形態の回転方向判定処理について図１４を参照して説明する。図１４は、本発明の第２実施形態に係る回転可能方向判定処理を示すフローチャートである。ステップＳ５０１は、前述した第１実施形態のステップＳ２０１と同様なので説明は省略する。ステップＳ５０２でカメラマイコン１０１は、前述したステップＳ４０３において顔が検出されているか否かを判定する。
【０１２７】
カメラマイコン１０１によって、顔が検出されていない（ステップＳ５０２でＮＯ）と判定された場合はステップＳ５０５に進む。また、カメラマイコン１０１によって顔が検出されている（ステップＳ５０２でＹＥＳ）と判定された場合、ステップＳ５０３でカメラマイコン１０１は、検出された顔の向きが正面方向を向いているか否かを判定する。
【０１２８】
カメラマイコン１０１によって、検出された顔が正面方向を向いている（ステップＳ５０３でＹＥＳ）と判定された場合、ステップＳ５０５でカメラマイコン（第３の判定手段）１０１は、カメラ本体１００を左右方向の両方に回転可能であると判定する。すなわち、カメラ本体１００の現在の状態から、カメラ姿勢を左右両方向に変更可能であると判定する。以上説明したように、本実施形態では、顔が検出されていない場合と検出した顔が正面方向を向いている場合は、カメラ本体１００を左右両方向に回転可能であると判定する。
【０１２９】
カメラマイコン１０１によって、検出された顔が正面方向を向いていない（ステップＳ５０３でＮＯ）と判定された場合、ステップＳ５０４でカメラマイコン１０１は、検出された顔がユーザ（撮影者）から見て右方向を向いているか否かを判定する。
【０１３０】
カメラマイコン１０１によって、検出された顔が右方向を向いている（ステップＳ５０４でＹＥＳ）と判定された場合、ステップＳ５０７でカメラマイコン（第３の判定手段）１０１は、カメラ本体１００を右方向に回転可能であると判定する。すなわち、カメラ本体１００の現在の状態から、カメラ姿勢を右方向に変更可能であると判定する。
【０１３１】
また、カメラマイコン１０１によって、検出された顔が右方向を向いていない（ステップＳ５０４でＮＯ）と判定された場合、ステップＳ５０８でカメラマイコン（第３の判定手段）１０１は、カメラ本体１００を左方向に回転可能であると判定する。すなわち、カメラ本体１００の現在の状態から、カメラ姿勢を左方向に変更可能であると判定する。なお、ステップＳ５０６は、前述した第１実施形態のステップＳ２０３と同様なので説明は省略する。以上が本実施形態の回転可能方向判定処理である。
【０１３２】
なお、本実施形態では、発光部３５０の回動角度が略０度である場合のみ、被写体に含まれる顔の向きに応じて、カメラ本体１００の回転可能方向を判定するような構成であるが、これに限定されるものではない。例えば、ステップＳ５０７の判定の後に、ステップＳ５０２〜Ｓ５０５と同様の処理を行うような構成であってもよい。
【０１３３】
この場合、カメラマイコン１０１は、発光部３５０の回動角度と検出した顔の向きに応じて、カメラ本体１００の回転可能方向を判定する。例えば、ステップＳ５０７において、発光部３５０の左右方向の回動角度が０度より大きいと判定され、検出された顔が右方向を向いている場合に、カメラマイコン１０１は、カメラ本体１００を右方向に回転可能であると判定する。また、例えば、ステップＳ５０７において、発光部３５０の左右方向の回動角度が０度より大きいと判定され、検出された顔が左方向を向いている場合、カメラマイコン１０１は、カメラ本体１００を回転可能な方向がないと判定する。
【０１３４】
図１３に戻り、ステップＳ４０８でカメラマイコン１０１は、ステップＳ４０７の判定結果に基づいて、回転可能なカメラ本体１００の方向に関する情報（または、変更可能なカメラ姿勢に関する情報）を表示部１１３に表示させる。ステップＳ４０９以降の処理は、前述した第１実施形態のステップＳ１０６以降の処理と同様なので、説明は省略する。以上が本実施形態の姿勢報知制御である。
【０１３５】
以上説明したように、本実施形態の撮像システムでは、発光部３５０の左右方向の回動角度に加えて、撮影対象の被写体に顔が含まれる場合に当該顔の向きに応じて、カメラ本体１００の回転可能方向を判定するような構成である。そして、当該判定の結果に基づいて、表示部１１３に、カメラ本体１００の回転可能方向に関する情報を表示（報知）する構成である。この構成によって、同一の反射体でバウンス発光撮影が可能であって、顔の向きに応じた最適なバウンス発光撮影が可能な、カメラ本体１００の回転方向を容易に知ることができる。
【０１３６】
したがって、本実施形態の撮像システムは、撮影者が意図する反射体に向けたバウンス発光撮影をおこなうことができる撮像装置の姿勢を、撮影者が容易に認識することができる。また、撮影対象の被写体に顔が含まれる場合に、当該顔の向きに対して最適なバウンス発光撮影をおこなうことができる撮像装置の姿勢を、撮影者が容易に認識することができる。
【０１３７】
なお、撮影対象の被写体から複数の顔（人物）が検出された場合、ユーザが撮影したいと思う意図が最も大きい顔の向きを判定するような構成であれよい。例えば、カメラ本体１００側からの距離が最も至近側に位置する顔の向きに応じて上述した制御を行うような構成であってもよい。また、撮影時の画角内の中心に最も近い顔の向きに応じて上述した制御を行うような構成であってもよい。
【０１３８】
以上、本発明の好ましい実施形態について説明したが、本発明はこれらの実施形態に限定されず、その要旨の範囲内で種々の変形及び変更が可能である。前述した実施形態では、カメラ本体１００の姿勢検出部１１７の検出結果によって、カメラ本体１００の姿勢を検出するような構成であったが、これに限定されるものではない。例えば、本実施形態の照明装置３００のように、カメラ本体１００に対して本体部３４０の位置を変更できないような構成であれば、照明装置３００の姿勢検知センサ３６０の検知結果に基づいて、カメラ本体１００の姿勢を検出するような構成であってもよい。また、姿勢検出部１１７の検出結果と姿勢検知センサ３６０の検知結果の両方に基づいて、カメラ本体１００の姿勢を検出するような構成であってもよい。
【０１３９】
また、照明装置３００としては、発光部３５０が上下および左右方向に回動可能であれば、カメラ本体１００に取り外し可能な外部ストロボではなくてもよい。例えば、照明装置３００がカメラ本体１００と一体に設けられた、所謂内蔵ストロボであってもよい。この場合、本体部３４０がカメラ本体１００と一体に設けられており、本体部３４０に対して発光部３５０が回動できるような構成となる。
【０１４０】
なお、前述した実施形態では、カメラマイコン１０１とストロボマイコン３１０とが連携して動作することで、上述した制御および処理を実行するような構成であったが、これに限定されるものではない。例えば、前述の各フローに従ったプログラムを予めカメラ本体１００や照明装置３００のメモリに格納しておき、当該プログラムをカメラマイコン１０１やストロボマイコン３１０などが実行することで、上述した各制御を実行するような構成であってもよい。
【０１４１】
また、プログラムの機能を有していれば、オブジェクトコード、インタプリタにより実行されるプログラム、ＯＳに供給するスクリプトデータ等、プログラムの形態を問わない。また、プログラムを供給するための記録媒体としては、例えば、ハードディスク、磁気テープ等の磁気記録媒体、光／光磁気記録媒体でもあってもよい。
【０１４２】
また、前述した実施形態では、本発明を実施する撮像システムの撮像装置の一例として、カメラ本体１００について説明したが、これに限定されるものではない。例えば、本発明を実施する撮像システムの撮像装置としては、デジタルビデオカメラやスマートフォンなどの可搬型デバイスなど、種々の撮像装置に適用することが可能である。
【０１４３】
（その他の実施形態）
また本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現できる。また、１以上の機能を実現する回路（例えば、ＡＳＩＣ）によっても実現できる。
【符号の説明】
【０１４４】
１００  カメラ本体（撮像装置）
１０１  カメラマイコン
１１３  表示手段
１１７  姿勢検出部
３００  照明装置
３１０  ストロボマイコン
３４０  本体部
３５０  発光部
３５２  第２のエンコーダ
３６０  姿勢検知センサ
【図１】
2016109824.tif 000003
【図２】
2016109824.tif 000004
【図３】
2016109824.tif 000005
【図４】
2016109824.tif 000006
【図５】
2016109824.tif 000007
【図６】
2016109824.tif 000008
【図７】
2016109824.tif 000009
【図８】
2016109824.tif 000010
【図９】
2016109824.tif 000011
【図１０】
2016109824.tif 000012
【図１１】
2016109824.tif 000013
【図１２】
2016109824.tif 000014
【図１３】
2016109824.tif 000015
【図１４】
2016109824.tif 000016